(57)【要約】【課題】  自動吸着搬送のための吸着時に転倒したり姿勢を崩したりすることのない平型ケーブル用電気コネクタを提供することを目的とする。【解決手段】  平型ケーブルＦの接続部がハウジングの開口部３３への挿入を許容する空間を形成する開位置と、加圧部４７で平型ケーブルＦを接触部２１Ｄ１，２２Ｄ１へ圧する閉位置との間で移動可能となっている加圧部材４０を有する電気コネクタにおいて、加圧部材４０は、開位置に位置するときに吸着部材Ｂによるコネクタの吸着搬送のために上方に向く吸着部４５と、吸着部材が上方から吸着部に当接力が印加された際に加圧部材が開位置を維持したままハウジングにより当接支持可能とされる被支持部４４とを有している。【選択図】  図１
2005078878.tif 000002
【特許請求の範囲】
【請求項１】
平型ケーブルの接続部を前方から挿入するための開口部が形成されたハウジングに複数の端子が配列保持され、該端子は接触部が形成されている腕状部を有し、上記複数の端子の接触部に対して上記平型ケーブルの接続部が挿入配置された後に該平型ケーブルを端子の接触部へ圧する加圧部を有する可動な加圧部材が設けられ、該加圧部材は、上記平型ケーブルの接続部の上記開口部への挿入を許容する空間を形成する開位置と、上記加圧部で平型ケーブルを接触部へ圧する閉位置との間で移動可能となっている電気コネクタにおいて、加圧部材は、開位置に位置するときに吸着部材によるコネクタの吸着搬送のために上方に向く吸着部と、吸着部材が上方から吸着部に当接力が印加された際に加圧部材が開位置を維持したままハウジングにより当接支持可能とされる被支持部とを有していることを特徴とする平型ケーブル用電気コネクタ。
【請求項２】
吸着部と被支持部は実質的に平坦な面の部分を有し、これらの二つの面は、互いにほぼ平行で、かつ加圧部材が開位置にあるときに、前後方向で重複範囲をもつこととする請求項１に記載の平型ケーブル用電気コネクタ。
【請求項３】
加圧部材は開位置と閉位置との間の移動が回動であることとする請求項１に記載の平型ケーブル用電気コネクタ。
【請求項４】
加圧部材は開位置でハウジングと係止して該開位置を維持する係止部を有していることとする請求項１又は請求項３に記載の平型ケーブル用電気コネクタ。
【請求項５】
加圧部材は、端子の配列方向から見たときに、開位置で該加圧部材の被支持部と当接する際に、水平面に対して傾角をもって延びる形状をなしており、吸着部が水平面とほぼ平行に拡がって形成されていることとする請求項１，請求項３そして請求項４のうちの一つに記載の平型ケーブル用電気コネクタ。
【発明の詳細な説明】
【技術分野】
【０００１】
本発明は、平型ケーブルの接続のための電気コネクタに関する。
【背景技術】
【０００２】
この種のコネクタは、平型ケーブルを接続していない状態で回路基板上に配置され、回路基板へ端子が半田接続された後に、平型ケーブルが該コネクタに接続される。
【０００３】
この種のコネクタとして特許文献１に開示されているコネクタは、添付図面の図３に見られるように、ハウジング５１に対して回動自在に支持されている加圧部材５２を有している。該加圧部材５２はハウジング５１上方を開口状態とする開位置とここを閉じる閉位置との間で回動可能で、図３に示す開位置で平型ケーブルの左方からの挿入を可能とし、挿入された該ケーブルを加圧部材５２が閉位置で端子５３の接触部５３Ａへ圧して接続せしめるようになっている。
【０００４】
上記加圧部材５２は、回路基板への装着前、すなわちケーブル接続前は開位置にあって、その開位置の姿勢にあるときに一部に水平をなす吸着面５４を形成している。回路基板への吸着搬送による自動装着の際にコネクタは、該吸着水平面５４で吸着部材（図示せず）により保持され回路基板の装着位置まで搬送される。
【特許文献１】実開平６−１７１６５（図２）
【発明の開示】
【発明が解決しようとする課題】
【０００５】
しかしながら、特許文献１のコネクタにあっては、吸着部材による吸着保持の際に、コネクタは吸着部材の上方からの当接力を受けて不安定となり、その姿勢が崩れ、保持不能になったり、保持できても吸着位置や向きが狂ってしまい回路基板への配置が正確に行えないことがある。
【０００６】
このような不都合が生ずる理由は、回路基板への装着前ではコネクタ５０が固定されていないことに加え、上記加圧部材５２が開位置でハウジング５１により支持されておらず不安定であること、仮りに加圧部材が吸着当接力を受けて該加圧部材の下端面でコネクタの載置面Ｐに接面するようになったとしても、その接面部分が吸着位置と横方向（水平方向）で大きくずれているので、コネクタがこのずれの距離に比例した、当接力によるモーメントを受けること、に起因する。
【０００７】
本発明は、回路基板への自動装着のための上記の吸着搬送の際に、吸着部材が上方から当接力を加圧部材に与えても、加圧部材やコネクタ全体の姿勢が崩れることなく、正規の位置そして姿勢で回路基板上に配置できるように構成された平型ケーブル用電気コネクタを提供することを目的とする。
【課題を解決するための手段】
【０００８】
本発明に係る平型ケーブル用電気コネクタは、平型ケーブルの接続部を前方から挿入するための開口部が形成されたハウジングに複数の端子が配列保持され、該端子は接触部が形成されている腕状部を有し、上記複数の端子の接触部に対して上記平型ケーブルの接続部が挿入配置された後に該平型ケーブルを端子の接触部へ圧する加圧部を有する可動な加圧部材が設けられている。該加圧部材は、上記平型ケーブルの接続部の上記開口部への挿入を許容する空間を形成する開位置と、上記加圧部で平型ケーブルを接触部へ圧する閉位置との間で移動可能となっている。
【０００９】
かかる電気コネクタにおいて、本発明では、加圧部材は、開位置に位置するときに吸着部材によるコネクタの吸着搬送のために上方に向く吸着部と、吸着部材が上方から吸着部に当接した際に加圧部材がハウジングにより当接支持される被支持部とを有していることを特徴としている。
【００１０】
このような構成の本発明の電気コネクタは、回路基板への自動装着の際、該コネクタの待機位置から吸着部材によって回路基板上の所定位置へ搬送そして載置され、そこで半田によって端子が回路基板の回路部と接続される。
【００１１】
回路基板への装着前のコネクタは、回路基板への自動装着に備え、単に作業テーブル上の面或いは梱包部材内に置かれているだけで、何ら保持されている訳ではない。このようなコネクタに対し、上記吸着部材は、通常、上方から降下して上記コネクタの加圧部材に形成された吸着部で該コネクタを保持し搬送する。加圧部材は上記開位置と閉位置との間で移動可能に支持されており、従来のコネクタにあっては、加圧部材は外力を受けると位置が変動してしまう不安定な状態にあることが多い。したがって、吸着搬送時に吸着部材が降下して加圧部材の吸着部に当接すると、このとき当接力が外力として加圧部材に作用し、加圧部材さらにはコネクタ全体の姿勢を崩したりコネクタを転倒させてしまうこともある。
【００１２】
このような状況下で、本発明のコネクタは、加圧部材の吸着部に対して吸着部材が上方から当接力をもって吸着を行っても、加圧部材は被支持部にてハウジングにより支持されるので、加圧部材の開位置における姿勢が崩れることはなく、正規の姿勢位置での吸着保持が安定してなされる。
【００１３】
かかる本発明において、吸着部と被支持部は実質的に平坦な面の部分を有し、これらの二つの面は、互いにほぼ平行で、かつ加圧部材が開位置にあるときに、前後方向で重複範囲をもつことが好ましい。このようにすると、被支持面と吸着面は重複投影範囲を有しているので、吸着時に吸着面での当接力と被支持面での反力が、これらの力と直角方向となる上記前後方向で、互いに近い距離で作用するので、モーメントは殆んど生じない。即ち、コネクタは不安定とならない。通常、吸着部材は吸着面に対して広い範囲で吸着するので、上記重複投影範囲は吸着面と被支持面の互いの一部同士が重複していれば、十分である。この場合、仮りにモーメントが生じてもきわめて小さい。
【００１４】
本発明において、加圧部材は開位置と閉位置との間の移動が、例えば、回動であるようにすることができる。この場合、回動を主として、これに直動が重なっている移動形態であってもよい。
【００１５】
加圧部材は開位置でハウジングと係止して該開位置を維持する係止部を有していることが好ましい。こうすることにより、加圧部材は開位置においてハウジングに対しては一定した位置関係となる。
【００１６】
さらに、本発明では、加圧部材は、端子の配列方向から見たときに、開位置で該加圧部材の被支持部と当接する際に、水平面に対して傾角をもって延びる形状をなしており、吸着部が水平面とほぼ平行に拡がって形成されていることとするのが好ましい。加圧部材は、回動を伴う移動をする形態の場合に回動操作に好都合な長さの腕状とされることが多く、開位置において水平面に対して斜めに延びる状態でハウジングで支持される。このとき、吸着部が上述のように水平面に平行に拡がって形成されていれば、加圧部材自体があまり厚みが大きくない腕状であっても、これを斜めに切る位置に吸着部が形成されることとなるので、吸着部の大きさを十分に確保できる。
【発明の効果】
【００１７】
以上のように、本発明では平型ケーブルを端子の接触部へ圧する可動な加圧部材が、ケーブル挿入前の吸着搬送のために開位置にあるときに、ハウジングに当接支持される被支持面を有しているので加圧部材の開位置での姿勢が安定すると共に、吸着面が被支持面と平行で両面を投影したときに重複範囲を有するように構成したので、吸着部材が吸着面に当接力を与えても、被支持面を支点とするモーメントが生じにくく、コネクタ全体としても安定し、姿勢を崩したり、ましてや転倒することもない。
【発明を実施するための最良の形態】
【００１８】
以下、添付図面の図１及び図２にもとづいて本発明の実施形態を説明する。
【００１９】
本実施形態の平型ケーブル用電気コネクタ１０は、金属板をその平面を保ったまま形状づけられた複数の端子２０と、該端子２０を保持する絶縁材のハウジング３０と、該ハウジング３０により可動に支持されて平型ケーブルＦを端子２０へ圧する絶縁材の加圧部材４０とを有し、以下のごとく形成されている。
【００２０】
端子２０は、本実施形態では二種存在していて、ハウジング３０に対して右方から圧入される端子２１と、左方から圧入される端子２２とから成っている。金属板から作られた各端子２１，２２は、紙面と平行に面を維持しており、該面に直角な方向で交互に配列されている。図１は、(Ａ)が加圧部材が開位置そして（Ｂ）が閉位置にある状態を示すものであるが、その際、(Ａ)は端子２１そして(Ｂ)が端子２２の位置での断面として示している。
【００２１】
右方からハウジング３０の対応スリット３１へ圧入されている端子２１は、図１(Ａ)に見られるように、該スリット３１の上縁及び下縁に対してハウジングの右部で係合して該スリット３１内に固定される基部２１Ａと、該基部２１Ａの下部からハウジング外へ延出する接続部２１Ｂと、上記基部２１Ａの上部から左方へ延びる上腕部２１Ｃと、該上腕部２１の右部からＬ字状に屈曲かつ延びる下腕部２１Ｄとを有している。上記基部２１Ａの上部に形成された突部は端子２１を右方からハウジングへ圧入する際にハウジングと当接して圧入位置を決めるための位置決め部２１Ａ１を形成している。
【００２２】
上記上腕部２１Ｃの左端部には左方に向け開放された凹状の軸支部２１Ｃ１が形成されている。又、下腕部２１Ｄは弾性腕をなし、その先端に上方に突出する接触部２１Ｄ１が設けられている。該接触部２１Ｄ１は上記軸支部２１Ｃ１の下方で、横方向にてほぼ該軸支部２１Ｃ１の位置にある。
【００２３】
左方からハウジング３０の対応スリットへ挿入されている端子２２は、図１(Ｂ)に見られるように、前出の図１(Ａ)に見られる端子２１と若干の形状差があるが、基部２２Ａ、接続部２２Ｂ、上腕部２２Ｃそして下腕部２２Ｄを有している点で類似している。この端子２２では、上記基部２２Ａは、該端子２２がハウジングへ左方から挿入される関係上、対応スリット３２との係合が、スリット上縁に対しては上記端子２１の場合とほぼ同位置でそしてスリット下縁に対しては上記端子２１の場合よりも広い範囲のほぼ全域で行われている。接続部２２Ｂは、前出の端子２１の場合とは逆方向、すなわち左方に向けハウジングから突出している。したがって、両種の端子２１，２２は、右左へ交互に接続部２１Ｂ，２２Ｂが突出しているので、ハウジング左右方向におけるバランスがとれると共に、端子の配列ピッチに対して、接続部２１Ｂそして接続部２２Ｂはそれぞれ隣接の接続部との間隔が上記ピッチの二倍の距離と広がっており、半田接続を容易としている。
【００２４】
端子２２の上腕部２２Ｃは、該端子２２の左方からのハウジングへの圧入の際にハウジングに当接して位置決めするため段状の位置決め部２２Ｃ２と、下方に向け開放された凹状の軸支部２２Ｃ１とが形成されている。該軸支部２２Ｃ１は、図１の紙面に直角な方向で投影してみたときに、前出の端子２１の軸支部２１Ｃ１と相俟って互いの開放域を補完するように閉じて包囲域を形成する。
【００２５】
端子２２の下腕部２２Ｄは弾性腕をなし、その先端に上方へ突出する接触部２２Ｄ１が設けられている。該接触部２２Ｄ１は前出の端子２１の接触部２１Ｄ１よりも若干左方に位置している。
【００２６】
ハウジング３０は、端子２１，２２をそれぞれ右方そして左方から圧入されるための該端子２１，２２の厚さとほぼ同じ幅のスリット３１，３２が紙面と平行でかつ紙面と直角方向で交互に形成されている。ハウジング３０は図１にて左上部が開口部３３となっていて、この部分で複数のスリット３１，３２は連通している。上記開口部３３は、平型ケーブルＦの接続部（先端部）を上記端子２１，２２の接触部２１Ｄ１，２２Ｄ１の上に配置する際に、該平型ケーブルＦを先端部からハウジング内への導入を可能とする空間を形成していると共に、この平型ケーブルＦの接続部を上記接触部２１Ｄ１，２２Ｄ１へ圧するための加圧部材４０を配置するための空間として機能する。
【００２７】
上記加圧部材４０は、図２にも見られるように、複数の端子２１，２２の配列方向に長く延び、図１(Ａ)，(Ｂ)に見られるように断面において一端側に軸部４１を有し、他端側に向け延びて操作容易なレバー状をなしている。
【００２８】
上記加圧部材４０は、図１(Ａ)に見られる開位置と図１(Ｂ)に見られる閉位置との間で上記軸部４１まわりに回動可能となっている。図１(Ａ)において、該加圧部材４０の下半部には端子２１，２２の上腕部２１Ｃ，２２Ｃの左端側部分を受入れるための溝部４２がこれらの端子２１，２２に対応して形成されている。上記軸部４１は各溝部４２において、該溝部４２の対向内面同士を連結するように形成されており、すべての溝部４２の軸部４１は共通した一つの軸線上に位置している。
【００２９】
上記加圧部材４０は、図１(Ｂ)に見られるように、中間部にＶ字状の凹部４３が形成されていて、上記溝部４２の底縁の位置から加圧部材４０の他端側に向けて平坦な斜面をなす被支持部４４を有している。この被支持部４４は平坦面でなくとも、ハウジング３０の上面において支持可能であるならば凸部等他の形状であってもよい。
【００３０】
又、上記加圧部材４０は、上記他端側に上記被支持部４４とほぼ平行な面に位置する吸着部４５が、端子の配列方向（図２での長手方向）での中間部に形成されている。図示の例では、該吸着部４５は上記端子の配列方向の中間部に平坦面として形成されているが、これは同方向全域に形成されていてもよいし、又、平坦面でなくとも、ほぼ平坦面であればよい。また、本実施形態では、上記被支持部４４と吸着部４５は、図１(Ａ)において、左右方向で互いに重複する範囲をもっている。
【００３１】
上記被支持部４４は加圧部材４０が図１(Ａ)の開位置にあるときに、ハウジング３０の上面に当接し、該開位置を安定して保つ。この開位置をさらに確実に保つためには、図２に見られるように加圧部材４０の側端面に突起状の係止部４６を設け、ハウジング３０の側壁３４の内面に係止するようにできる。こうすることで、吸着後の搬送時に、係止部４６の係止力によって吸着時の加圧部材とハウジングとの相対位置関係をそのまま維持できて、安定した搬送ができる。
【００３２】
以上のごとくの本実施形態のコネクタは次の要領で組み立てられ、又、使用される。
【００３３】
（１）  先ず、組み立てに際しては、図１(Ｂ)にて、ハウジング３０のスリット３２に対し、端子２２を左方（前方）から圧入する。この圧入は端子２２の位置決め部２２Ｃ２がハウジングの上壁の開口部側の端面に当接するまで行われる。
【００３４】
（２）  端子２２のすべてが圧入された後、加圧部材４０が取りつけられる。この取付けは加圧部材４０の軸部４１が下方から端子２２の凹状の軸支部２２Ｃ１に入り込むようにして行われ、さらに加圧部材４０は回動させられ、被支持部４４がハウジング３０の上面に当接する状態となり、開位置で維持される。
【００３５】
（３）  しかる後、図１(Ａ)に見られるように右方から端子２１をハウジング３０のスリット３１に対し圧入する。この圧入は端子２１の位置決め部２１Ａ１がハウジングの上壁の後端面に当接するまで行われる。この端子２１の圧入完了時には、該端子２１の凹状の軸支部２１Ｃ１が上記加圧部材４０の対応軸部４１を収めるようになる。
【００３６】
（４）  かくして、図１(Ａ)，(Ｂ)にて、紙面に直角な方向から見たときに、加圧部材の軸部４１は二種の端子２１，２２の軸支部２１Ｃ１，２２Ｃ１によって周方向全域で包囲され、該軸部４１は加圧部材４０がどのような回動位置にあっても軸支部２１Ｃ１，２２Ｃ１から外れることはない。
【００３７】
（５）  次に、このようなコネクタを回路基板（図示せず）の所定位置へ吸着部材Ｂにより吸着搬送される。吸着に際しては、上記吸着部材Ｂは上方から降下して加圧部材４０の吸着部４５に当接し、ここで吸着する。吸着部材Ｂは上記吸着部４５との当接時に、加圧部材４０に対し下方への力を印加することがあるが、該加圧部材４０はその被支持部４４にてハウジング上面によって支持されているので、力の印加によって回動して不安定になることはない。又、吸着部４５と被支持部４４とは、左右方向で重複範囲を有しており、上記力がコネクタを転倒させるようなモーメントを生ずることも殆んどない。かくして、コネクタは所定の位置・姿勢を保ったまま吸着部材Ｂにより回路基板上の所定位置へ所定の姿勢で配置され、ここで端子２１，２２の接続部２１Ｂ，２２Ｂが回路基板の所定回路部と半田接続される。本発明において、加圧部材は図１（Ａ）にて、一端側に軸部を有し、他端側に吸着部を有し、その中間に被支持部を設けることとするならば、吸着部に大きな力が印加されたとしても、軸部の破損を予防できる。
【００３８】
（６）  コネクタの使用に際しては、加圧部材４０を図１(Ａ)の開位置にもたらし、ハウジング３０の開口部３３を経て平型ケーブルＦの接続部をハウジング内へ挿入し、該平型ケーブルＦの接続部を端子２１，２２の接触部２１Ｄ１，２２Ｄ１の上に位置せしめる。
【００３９】
（７）  しかる後に、加圧部材４０を図１(Ｂ)の閉位置まで回動して、平型ケーブルＦを該加圧部材４０の加圧部４７で上記接触部２１Ｄ１，２２Ｄ１へ圧し、平型ケーブルＦが端子２１，２２と電気的に接続される。
【図面の簡単な説明】
【００４０】
【図１】本発明の一実施形態のコネクタの断面を示し、(Ａ)は一種の端子における断面で加圧部材が開位置にある状態、(Ｂ)は他種の端子における断面で加圧部材が閉位置にある状態を示す。
【図２】図１のコネクタの一部を示す斜視図である。
【図３】従来のコネクタの断面図である。
【符号の説明】
【００４１】
２１，２２    端子
２１Ｄ，２２Ｄ    腕状部
２１Ｄ１，２２Ｄ１    接触部
３０  ハウジング
３３  開口部
４０  加圧部材
４４  被支持部
４５  吸着部
４６  係止部
４７  加圧部
Ｂ    吸着部材
Ｆ    平型ケーブル
【図１】
2005078878.tif 000003
【図２】
2005078878.tif 000004
【図３】
2005078878.tif 000005